(57)【特許請求の範囲】
【請求項１】
像保持体上のトナー像を被転写媒体に転写する転写ロールと、
前記転写ロールを回転可能に保持する第１の保持部材と、
前記第１の保持部材を介して前記像保持体に前記転写ロールを予め定められた圧接方向に圧接する圧接部材と、
前記第１の保持部材を揺動かつ移動可能に保持する第２の保持部材と、
装置本体の蓋部材に設けられ、前記蓋部材が閉状態のとき、前記第１の保持部材及び前記第２の保持部材に前記圧接部材が前記第１の保持部材に作用する前記圧接方向の力よりも小さい押圧力を付与する押圧部材とを備えた転写装置。
【請求項２】
前記圧接部材は、前記転写ロールから前記像保持体に圧接力が作用する圧接部を支点とし、前記支点から一方側に離れている位置で前記転写ロールが前記転写ベルトに圧接される圧接力の少なくとも一部を前記第１の保持部材に付与する請求項１に記載の転写装置。
【請求項３】
前記第１の保持部材は、前記支点から他方側に離れている位置で前記圧接力の少なくとも一部と異なる圧接力を受ける請求項２に記載の転写装置。
【請求項４】
前記支点から一方側に離れている位置までの距離は、前記支点から他方側に離れている位置までの距離に比べて短い請求項３に記載の転写装置。
【請求項５】
請求項１乃至３のいずれか１項に記載の転写装置と、
用紙に画像を形成する画像形成部とを備えた画像形成装置。
【請求項６】
請求項１乃至３のいずれか１項に記載の転写装置と、
用紙に画像を形成する画像形成部と、
内外に開口するケース部材、及び前記ケース部材の開口部を開閉する前記蓋部材を有し、前記画像形成部及び前記転写装置を内部に収容する装置本体とを備えた画像形成装置。
【請求項７】
前記転写装置は、前記第１の保持部材が前記第２の保持部材に支軸を介して揺動かつ移動可能に保持され、
前記装置本体は、前記蓋部材が前記第２の保持部材と一体化して前記ケース部材に揺動可能に配置されている請求項６に記載の画像形成装置。
【請求項８】
前記転写装置は、前記圧接部材が前記第１の保持部材を転動可能な第１のロール、及び前記第２の保持部材を転動可能な第２のロールを有する請求項６に記載の画像形成装置。
【請求項９】
前記転写装置は、前記第１の保持部材がその移動に伴い前記支軸を逃がす長孔を有する請求項７に記載の画像形成装置。
【請求項１０】
前記装置本体は、前記蓋部材の閉状態において、前記第１の保持部材の揺動を規制し、かつ前記押圧力に基づく反力を前記第１の保持部材に付与する揺動規制部材を内部に有する請求項６に記載の画像形成装置。
【発明の詳細な説明】
【技術分野】
【０００１】
本発明は、転写装置及び画像形成装置に関する。
【背景技術】
【０００２】
従来の画像形成装置には、像保持体としての感光体ドラム上に形成された静電潜像をトナーによって可視化し、この可視化された可視像としてのトナー像を用紙上に転写・定着することにより画像形成を行うものがある（例えば特許文献１参照）。
【０００３】
このような画像形成装置は、内外に開口する開口部を有する装置本体と、この装置本体内で感光体ドラムのトナー像を転移させて保持する転写ベルトと、この転写ベルト上のトナー像を用紙に転写する転写ロールを有する転写ユニットと、この転写ユニットを保持して装置本体の開口部を開閉する扉ユニットとを備えている。
【０００４】
以上の構成において、転写ユニットによる転写動作中に転写ロールと転写ベルトとの間で用紙の紙詰まりが発生した場合には、扉ユニットを開放して転写ベルトから転写ロールを離間させ、転写ロールと転写ベルトとの間の用紙を取り除くことにより、用紙の紙詰まりを解消することができる。
【先行技術文献】
【特許文献】
【０００５】
【特許文献１】特開２００７−８６２６７号公報
【発明の概要】
【発明が解決しようとする課題】
【０００６】
本発明の目的は、転写ベルトに転写ロールを圧接する圧接力の方向にばね力を発生させる場合と比べて小さいばね力でニップ荷重を得ることができる転写装置及び画像形成装置を提供することにある。
【課題を解決するための手段】
【０００７】
本発明の一態様は、上記目的を達成するために、以下の転写装置及び画像形成装置を提供する。
【０００８】
［１］像保持体上のトナー像を被転写媒体に転写する転写ロールと、前記転写ロールを回転可能に保持する第１の保持部材と、前記第１の保持部材を介して前記像保持体に前記転写ロールを予め定められた圧接方向に圧接する圧接部材と、前記第１の保持部材を揺動かつ移動可能に保持する第２の保持部材と、装置本体の蓋部材に設けられ、前記蓋部材が閉状態のとき、前記第１の保持部材及び前記第２の保持部材に前記圧接部材が前記第１の保持部材に作用する前記圧接方向の力よりも小さい押圧力を付与する押圧部材とを備えた転写装置。
【０００９】
[２]前記圧接部材は、前記転写ロールから前記転写ベルトに圧接力が作用する圧接部を支点とし、前記支点から一方側に離間する位置で前記圧接力の少なくとも一部を前記第１の保持部材に付与する前記[１]に記載の転写装置。
【００１０】
[３]前記第１の保持部材は、前記支点から他方側に離間する位置で前記圧接力の少なくとも一部と異なる圧接力を受ける前記[２]に記載の転写装置。
【００１１】
[４]前記支点から一方側に離れている位置までの距離は、前記支点から他方側に離れている位置までの距離に比べて短い前記[３]に記載の転写装置。
【００１２】
[５]前記[１]乃至[４]のいずれか１つに記載の転写装置と、用紙に画像を形成する画像形成部とを備えた画像形成装置。
【００１３】
[６]前記[１]乃至[４]のいずれか１つに記載の転写装置と、用紙に画像を形成する画像形成部と、内外に開口するケース部材、及び前記ケース部材の開口部を開閉する蓋部材を有し、前記画像形成部及び前記転写装置を内部に収容する装置本体とを備えた画像形成装置。
【００１４】
[７]前記転写装置は、前記第１の保持部材が前記第２の保持部材に支軸を介して揺動かつ移動可能に保持され、前記装置本体は、前記蓋部材が前記第２の保持部材と一体化して前記ケース部材に揺動可能に配置されている前記[６]に記載の画像形成装置。
【００１５】
[８]前記転写装置は、前記圧接部材が前記第１の保持部材を回転可能な第１のロール、及び前記第２の保持部材を回転可能な第２のロールを有する前記[６]に記載の画像形成装置。
【００１６】
[９]前記転写装置は、前記第１の保持部材がその移動に伴い前記支軸を逃がす長孔を有する前記[７]に記載の画像形成装置。
【００１７】
[１０]前記装置本体は、前記蓋部材の閉状態において、前記第１の保持部材の揺動を規制し、かつ前記押圧力に基づく反力を前記第１の保持部材に付与する揺動規制部材を内部に有する前記[６]に記載の画像形成装置。
【発明の効果】
【００１８】
請求項１，５及び６に記載の発明によれば、転写ロールから転写ベルトに作用する圧接力の方向にばね力を発生させる場合と比べて小さいばね力でニップ荷重を得ることができる。
【００１９】
請求項２に記載の発明によれば、転写ロールから転写ベルトに作用する圧接力の少なくとも一部を圧接部で受ける場合と比べて小さいばね力でニップ荷重を得ることができる。
【００２０】
請求項３に記載の発明によれば、支点から一方側に離れている位置で受ける圧接力が支点から他方側に離れている位置で受ける圧接力よりも小さくなる。
【００２１】
請求項４に記載の発明によれば、転写ロールから転写ベルトに作用する圧接力の少なくとも一部を圧接部から一方側に離間する位置で受ける場合と比べて小さいばね力でニップ荷重を得ることができる。
【００２２】
請求項７に記載の発明によれば、転写ロールが蓋部材の閉方向への揺動によって転写ベルトに圧接され、また蓋部材の開方向への揺動によって転写ベルトとの圧接状態が解除される。
【００２３】
請求項８に記載の発明によれば、第１のロール及び第２のロールを有しない場合と比べてばね力付与部材の動作が円滑に行われる。
【００２４】
請求項９に記載の発明によれば、支軸を逃がす長孔を有しない場合と比べて第１の保持部材の移動が円滑に行われる。
【００２５】
請求項１０に記載の発明によれば、揺動規制部材が第１の保持部材の揺動を規制することにより、揺動規制部材を有しない場合と比べて安定した状態でニップ荷重が得られる。
【図面の簡単な説明】
【００２６】
【図１】図１は、本発明の実施の形態に係る転写装置が適用された画像形成装置の全体を説明するために示す断面図である。
【図２】図２は、本発明の実施の形態に係る転写装置を説明するために示す側面図である。
【図３】図３は、本発明の実施の形態に係る転写装置を上方から見た状態を示す斜視図である。
【図４】図４は、本発明の実施の形態に係る転写装置を下方から見た状態を示す斜視図である。
【図５】図５は、本発明の実施の形態に係る転写装置の要部を説明するために示す側面図である。
【図６】図６は、本発明の実施の形態に係る転写装置の圧接部材及びばね力付与部材を説明するために示す断面図である。
【図７】図７（ａ）及び（ｂ）は、本発明の実施の形態に係る転写装置が適用された画像形成装置の動作を説明するために示す断面図である。図７（ａ）は蓋部材の閉状態を、また図７（ｂ）は蓋部材の開状態をそれぞれ示す。
【発明を実施するための形態】
【００２７】
[実施の形態]
（画像形成装置の全体構成）
先ず、本発明の実施の形態に係る画像形成装置につき、図１を参照して説明する。図１は画像形成装置の概略を示す。図１に示すように、画像形成装置１は、装置本体１０を有し、装置本体１０に画像形成部１１，用紙供給部１２及び排紙部１３を内蔵し、例えばカラー複写機に適用される。
【００２８】
（装置本体１０の構成）
装置本体１０は、内外に開口するケース部材１００、及びこのケース部材１００の開口部１００ａを開閉する蓋部材１０１を有し、その上部に排出部１０ａが設けられている。
【００２９】
ケース部材１００内には、画像形成部１１，用紙供給部１２及び排紙部１３等を収容する収容空間１００ｂ、用紙供給部１２から画像形成部１１に至る搬送経路１００ｃ、及び画像形成部１１から排紙部１３に至る排紙経路１００ｄが設けられている。また、ケース部材１００内には、蓋部材１０１の閉状態において、第１の保持部材７２の一方向（矢印ｍ方向）への揺動を規制し、かつ圧接力Ｆ２（図５に示す）を第１の保持部材７２に付与する揺動規制部材１０２が配置されている。圧接力Ｆ２（Ｆ２は80〜90Ｎ程度）は、二次転写ロール７１から中間転写ベルト７０に圧接力が作用する圧接部ａを支点とし、この支点に対し他方側すなわち揺動規制部材１０２側の位置ｃ（図５に示す）で第１の保持部材７２に付与される。
【００３０】
蓋部材１０１は、ケース部材１００に揺動可能に配置されている。そして、蓋部材１０１は、図１に実線で示す閉位置と図１に２点鎖線で示す開位置との間を揺動中心１０１ａの回りに揺動して開閉するように構成されている。
【００３１】
（画像形成部１１の構成）
画像形成部１１は、イエロー（Ｙ）のトナー像を形成する第１の画像形成ユニット２Ｙと、マゼンタ（Ｍ）のトナー像を形成する第２の画像形成ユニット２Ｍと、シアン（Ｃ）のトナー像を形成する第３の画像形成ユニット２Ｃと、ブラック（Ｋ）のトナー像を形成する第４の画像形成ユニット２Ｋと、一次転写位置に配置されて画像形成ユニット２Ｙ，２Ｍ，２Ｃ，２Ｋによってそれぞれ形成されたイエロー，マゼンタ，シアン，ブラックのトナー像を転写ベルトとしての中間転写ベルト７０に一次転写する第１の転写装置３Ｙ，３Ｍ，３Ｃ，３Ｋと、中間転写ベルト７０を矢印Ｒ方向に駆動する駆動ロール４と、中間転写ベルト７０を所定の張力で回転可能に支持する支持ロール５Ａ〜５Ｄと、中間転写ベルト７０の表面を清掃するクリーニング部６と、中間転写ベルト７０に転写されたトナー像を用紙Ｐに二次転写する転写ロールとしての二次転写ロール７１を有する第２の転写装置７（後述）と、用紙Ｐに転写されたトナー像を加熱溶融して定着する定着装置８と、感光体ドラム２０を露光する露光装置９とを備え、用紙供給部１２の上方に配置され、かつ収容空間１００ｂに収容されている。
【００３２】
画像形成ユニット２Ｋ，２Ｙ，２Ｃ，２Ｋは、装置本体１０に対して装着可能に構成されており、それぞれが感光層を表面に有する感光体ドラム２０と、露光前の感光体ドラム２０を帯電する帯電装置２１と、感光体ドラム２０に形成された静電潜像に対応する各色のトナーで現像する現像装置２２と、感光体ドラム２０を除電する除電装置２３と、一次転写後の感光体ドラム２０に残留した残留トナーを除去するドラム清掃部２４を有している。
【００３３】
支持ロール５Ａ〜５Ｄは、装置本体１０に取付プレート１０３を介して回転可能に配置されている。支持ロール５Ａ〜５Ｄは従動ロールである。支持ロール５Ａ〜５Ｄのうち支持ロール５Ｃはテンションロールとして、支持ロール５Ａ，５Ｂは１次転写面形成ロールとして、また支持ロール５Ｄは二次転写ロール７１のバックアップロールとしてそれぞれ機能する。
【００３４】
取付プレート１０３には、二次転写ロール７１の位置決め部材としての回転軸受７１２，７１２（一方のみ図示）を位置決めする位置決め凹部１０３ａ（図５に示す）が設けられている。
【００３５】
定着装置８は、加熱ロール８０及び加圧ロール８１を有し、排出ロール１３０，１３０と二次転写ロール７１との間に配置され、かつ収容空間１００ｂに収容されている。
【００３６】
露光装置９は、各色（Ｙ，Ｍ，Ｃ，Ｋ）の画像データに基づいて変調されたレーザビームによりミラー（図示せず）を介して各感光体ドラム２０を露光し静電潜像を形成する。
【００３７】
（用紙供給部１２の構成）
用紙供給部は、用紙Ｐを内部に積載する給紙トレイ１２１と、給紙トレイ１２１内に積載された用紙Ｐのうち最上位の用紙Ｐを送出するピックアップロール１２２と、ピックアップロール１２２によって送出された用紙Ｐを１枚ずつ捌く１対の捌きロール１２３，１２３とを有し、画像形成部１１の下方に配置され、かつ収容空間１００ｂに収容されている。
【００３８】
捌きロール１２３，１２３の下流側には、画像形成ユニット２Ｋ，２Ｙ，２Ｍ，２Ｃでの画像形成のタイミングに同期して駆動される１対のレジロール１２４，１２４、及び１対のレジロール１２４，１２４から画像形成部１１に向かって用紙Ｐを搬送する搬送ロール１２５，１２５が配置されている。
【００３９】
（排紙部１３の構成）
排紙部１３は、１対の排出ロール１３０，１３０を有し、画像形成部１１の排出部１０ａ側に配置されている。
【００４０】
排出ロール１３０，１３０は、装置本体１０内に回転可能に支持されている。そして、排出ロール１３０，１３０は、画像形成部１１で画像形成を受けた用紙Ｐを一方側への回転によって外部に排出するように構成されている。
【００４１】
（第２の転写装置７の構成）
次に、本発明の実施の形態に係る第２の転写装置７につき、図２〜図６を参照して説明する。図２は第２の転写装置の側面部を示す。図３は第２の転写装置の上面部を示す。図４は第２の転写装置の下面部を示す。図５は図２の一部を拡大して示す。図６は圧接部材及びばね力付与部材を示す。
【００４２】
図２〜図４に示すように、第２の転写装置７は、感光体ドラム２０（図１に示す）のトナー像を転移させて保持する中間転写ベルト７０と、中間転写ベルト７０上のトナー像を用紙Ｐ（図１に示す）に二次転写する二次転写ロール７１と、二次転写ロール７１を回転可能に保持する第１の保持部材７２と、第１の保持部材７２を介して中間転写ベルト７０に二次転写ロール７１を圧接する圧接部材７３と、第１の保持部材７２を揺動かつ移動可能に保持する第２の保持部材７４と、第２の保持部材７４及び第１の保持部材７２に圧接部材７３を圧接するためのばね力ｆ（図５に示す）を付与するばね力付与部材（押圧部材）７５とから大略構成されている。
【００４３】
（中間転写ベルト７０の構成）
中間転写ベルト７０は、図２に示すように、第１の転写装置３Ｙ，３Ｍ，３Ｃ，３Ｋ（図１に示す）と各感光体ドラム２０（図１に示す）との間に配置され、支持ロール５Ａ〜５Ｄ（支持ロール５Ｃ，５Ｄのみ示す）に掛け渡されている。そして、中間転写ベルト７０は、蓋部材１０１の閉状態において、二次転写ロール７１を介して第１の保持部材７１から圧接力Ｆ（Ｆは８０〜９０Ｎ程度）を受けるように構成されている。
【００４４】
（二次転写ロール７１の構成）
二次転写ロール７１は、図２に示すように、ロール軸７１０を有し、ロール表面が支持ロール５Ｄのロール表面に中間転写ベルト７０を介して対向する位置に配置され、かつ第１の保持部材７２にロール軸７１０の回転軸受７１２，７１２（一方のみ図示）を介して回転可能に保持されている。そして、二次転写ロール７１は、蓋部材１０１の閉状態において、中間転写ベルト７０の駆動によって回転するように構成されている。
【００４５】
ロール軸７１０の両端部には、位置決め凹部１０３ａ，１０３ａの内面に対向するロール表面７１２ａ，７１２ａ（一方のみ図示）を有する回転軸受７１２，７１２（一方のみ図示）が固定されている。
【００４６】
（第１の保持部材７２の構成）
第１の保持部材７２は、図３に示すように、二次転写ロール７１を介して互いに対向する１対の保持部７２０，７２０（一方のみ図示）、及びこれら１対の保持部７２０，７２０を連結する連結部７２１からなり、第２の保持部材７４に支軸７２２を介して揺動かつ移動可能に保持されている。
【００４７】
保持部７２０は、互いに対向する側面壁７２３，７２３、及びこれら側面壁７２３，７２３間に介在する中間壁７２４からなり、第１の保持部材７２の各側部に配置されている。
【００４８】
側面壁７２３，７２３のうち外側の側面壁には、第１の保持部材７２の移動に伴い支軸７２２を逃がす長孔７２３ａが設けられている。
【００４９】
中間壁７２４には、図４及び図５に示すように、中間転写ベルト７０に二次転写ロール７１を圧接する圧接力Ｆ（圧接力Ｆは、圧接力Ｆ１と圧接力Ｆ２との合力である。）の一部である圧接力Ｆ１を圧接部材７３から受ける圧接力受面７２４ａが設けられている。圧接力受面７２４ａは、蓋部材１０１の閉状態において、第２の保持部材７４の転動力受面７４ａに約３５°傾斜する傾斜面で形成されている。また、中間壁７２４には、、回転軸受７１２を介して二次転写ロール７１を接地するための板ばね７２５（図３に示す）が配置されている。
【００５０】
一方、連結部７２１は、第１の保持部材７２の中央部に配置され、かつ１対の保持部７２０，７２０に一体に形成されている。連結部７２１と第２の保持部材７４との間には、支軸７２２の外周面に長孔７２３ａの内面を圧接する方向の弾撥力を第１の保持部材７２に付与するトーションスプリング７２６が配置されている。
【００５１】
（圧接部材７３の構成）
圧接部材７３は、図５及び図６に示すように、中間壁７２４の圧接力受面７２４ａと接触し、圧接力受面７２４ａ上を回転して移動可能な第１のロール７３０、第２の保持部材７４の回転力受面７４ａと接触し、回転力受面７４ａ上を回転して移動可能な第２のロール７３１、これら両ロール７３０，７３１を保持するロールホルダ７３２、及びばね力付与部材７５の弾撥力を受けるスプリング受け７３３を有し、第２の保持部材７４にホルダケース７３４を介して往復可能に保持されている。そして、圧接部材７３は、蓋部材１０１を閉状態とする往動位置と蓋部材１０１を開状態とする復動位置との間を移動し、第１のロール７３０は圧接部ａに対して一方側すなわち揺動規制部材１０２とは反対側の位置ｂで圧接力Ｆ１を第１の保持部材７２に付与するように構成されている。
【００５２】
第１のロール７３０は、ロールホルダ７３２に支軸７３５を介して回転可能に保持されている。そして、第１のロール７３０は、蓋部材１０１の閉時にばね力付与部材７５の圧縮方向への圧接部材７３の往動によって図５において反時計回りに回転するように構成されている。また、第１のロール７３０は、蓋部材１０１の開時にばね力付与部材７５の伸張方向への圧接部材７３の復動によって図５において時計回りに回転するように構成されている。第１のロール７３０の外径は、第２のロール７３１の外径よりも大きい寸法に設定されている。これにより、第２のロール７３１と圧接力受面７２４ａとは接触しないように構成されている。
【００５３】
第２のロール７３１は、第１のロール７３０を介して互いに並列する１対のロールからなり、ロールホルダ７３２に支軸７３５に対して回転可能に保持されている。そして、第２のロール７３１は、蓋部材１０１の閉時にばね力付与部材７５の圧縮方向への圧接部材７３の往動によって図５において時計回りに回転するように構成されている。また、第２のロール７３１は、蓋部材１０１の開時にばね力付与部材７５の伸張方向への圧接部材７３の復動によって図５において反時計回りに回転するように構成されている。
【００５４】
ロールホルダ７３２は、互いに対向する１対の側板部７３２ａ，７３２ａ、及びこれら側板部７３２ａ，７３２ａを連結する連結部７３２ｂからなり、スプリング受け７３３にビス７３６によって取り付けられている。
【００５５】
スプリング受け７３３は、ビス７３６を結合する小径の筒部７３３ａ、及びばね力付与部材７５を内部に収容可能な大径の筒部７３３ｂからなり、一部をホルダケース７３４外に露出させてホルダケース７３４内に配置されている。小径の筒部７３３ａは、ホルダケース７３４の一方側端面部に挿通され、かつ大径の筒部７３３ｂに一体に設けられ、全体が軸線両方向に開口する無底円筒部材によって形成されている。一方、大径の筒部７３３ｂは、ホルダケース７３４内に収容され、全体が小径の筒部７３３ａ側とは反対の側に開口する有底円筒部材によって形成されている。
【００５６】
（第２の保持部材７４の構成）
第２の保持部材７４は、図５に示すように、第２のロール７３１から接触による反力を受ける回転力受面７４ａを有し、蓋部材１０１（図４に示す）に取り付けられている。そして、第２の保持部材７４は、蓋部材１０１の閉状態において、第２のロール７３１及び第１の保持部材７２を介して転写ベルト７０に二次転写ロール７１を圧接力Ｆ３（Ｆ３は２５〜３５Ｎ程度）で圧接するように構成されている。圧接力Ｆ３は圧接力Ｆ１の分力として、第２のロール７３１から位置ｂを介して第１の保持部材７２に付与される。第２の保持部材７４には、第１のロール７３０を挿通させる挿通窓７４ｂが設けられている。これにより、第１ロール７３０と回転力受面７４ａとは接触することがない。また、第２の保持部材７４には、第１の保持部材７２の矢印ｍ方向）への揺動を規制する揺動規制片７４ｃが一体に形成されている。
【００５７】
（ばね力付与部材７５の構成）
ばね力付与部材７５は、図５及び図６に示すように、軸線方向に伸縮可能な圧縮コイルスプリングからなり、ホルダケース７３４内に収容され、かつ大径の筒部７３３ｂの底面とホルダケース７３４の底面との間に配置されている。そして、ばね力付与部材７５は、第２の保持部材７４に対して中間壁７２４の圧接力受面７２４ａを傾斜させた状態において、すなわち蓋部材１０１の閉状態において第１の保持部材７２及び第２の保持部材７４に圧接部材７３を圧接するためのばね力ｆ（Ｆ１＞ｆ、ｆは２０〜３０Ｎ程度）を圧接力Ｆ１の分力として付与するように構成されている。
【００５８】
上述のとおり、第１の保持部材に圧接力Ｆ１が作用するので、第１の保持部材７２は圧接部ａを支点としたモーメントが発生する。しかし、図５のとおり第１の保持部材７２の下方には揺動規制部材１０２が設けられており、第１の保持部材７２と接触するので、モーメントに対抗した反力である圧接力Ｆ２を位置ｃにおいて第１の保持部材へ付与する。
【００５９】
以上より、圧接力Ｆ１と圧接力Ｆ２との合力により二次転写ロール７１へ中間転写ベル７０に作用する圧接力Ｆが付与される。ここで、本実施例においてこの圧接力Ｆは８０〜９０Ｎ程度である。一方、第１の保持部材７２及び第２の保持部材７４に圧接部材７３を圧接するためのばね力ｆは２０〜３０Ｎ程度である。つまり、同じばね力のばねを用いた場合において、本実施形態における構成を用いたほうが、ばね力で直接二次転写ロール７１を中間転写ベルト７０の方向に圧接させる構成に対しより大きなニップ荷重が得られる。ここで、ニップ荷重とは、二次転写ロール７１を中間転写ベルト７０に圧接する圧接力をいう。また、圧接力Ｆが位置ｂと位置ｃとから第１の保持部材７２に分散して付与され、圧接部ａにおいて安定した状態でニップ荷重が得られる。
さらに、本実施形態において、圧接点ａから位置ｂまでの距離が圧接点ａから位置ｃまでの距離よりも長い。すなわち、蓋部材１０１の閉状態において第１の保持部材７２は圧接点ａを支点としてモーメントが釣り合っている状態では圧接力Ｆ１、Ｆ２の関係はＦ１＜Ｆ２となる。ここで、Ｆ１＞ｆの関係から、ｆ＜Ｆ２となる。ここでばね力は蓋部材１０１を閉じる際に閉じる力の反力として作用するが、上述の構成としたことで、圧接力を作用させるために必要なばねのばね力を小さくすることができる。よって蓋部材１０１を閉じる際の操作力を低減することができる。
【００６０】
（画像形成装置１の動作）
次に、本実施の形態に示す画像形成装置１の動作につき、図１を参照して説明する。
【００６１】
図１に示すように、用紙供給部１２において、給紙トレイ１２１内に積載された用紙Ｐをピックアップロール１２２によって１枚ずつ分離し、捌きロール１２３，１２３から停止中のレジロール１２４，１２４に送出する。
【００６２】
次に、レジロール１２４，１２４に用紙Ｐの先端を突き当て、用紙斜め送りの修正と用紙先端の位置合わせをして用紙Ｐを待機させる。
【００６３】
そして、画像形成部１１における画像形成のタイミングに同期してレジロール１２４，１２４を回転させて二次転写ロール７１に用紙Ｐを給紙し、第１の転写装置３Ｙ，３Ｍ，３Ｃ，３Ｋでトナー像を中間転写ベルト７０に一次転写した後、第２の転写装置７における二次転写ロール７１の位置に給紙された用紙Ｐにトナー像を二次転写する。その後、定着装置８で用紙Ｐにトナー像を定着してから、定着装置８より用紙Ｐを排紙部１３に向かって搬送する。
【００６４】
この後、排紙部１３では、排出ロール１３０，１３０の回転によって用紙Ｐを排紙部１０ａに排出する。
【００６５】
ここで、第２の転写装置７で紙詰まりが発生し、装置本体１０内の用紙Ｐを装置本体１０外に取り出す動作につき、図７（ａ）及び（ｂ）を参照して説明する。図７（ａ）及び（ｂ）は蓋部材の開閉状態を示す。
【００６６】
例えば、装置本体１０内の中間転写ベルト７０と二次転写ロール７１との間に用紙Ｐを挟んだ状態で紙詰まりが発生すると、蓋部材１０１を開方向への揺動操作によって図７（ａ）に示す閉状態から図７（ｂ）に示す開状態とする。この場合、蓋部材１０１が開状態とされると、第２の保持部材７４が揺動終了位置に配置される。この際、第２の保持部材７４が長孔７２３ａの長手方向に沿って支軸７２２を逃がしながら揺動中心１０１ａの回りに回転し、揺動規制片７４ｃと第１の保持部材７２が接触するため、圧接力Ｆ１が揺動規制片７４Ｃに加わることになる。このため中間壁７２４を介して圧接力Ｆ１により位置ａや位置ｃの加わる荷重が小さくなり、圧接力Ｆと圧接力Ｆ２は減少する。つづいて第１の保持部材７２は支軸７２２が長穴７２３ａ側面に接触した後、第２の保持部材７４の揺動動作に追随して揺動中心１０１ａの回り移動する。。このため、ついで位置決めロール７１２が第１の保持部材７２と共に揺動して位置決め凹部１０３ａとの位置決め状態を解除するとともに、第１の保持部材７２が揺動規制部材１０２との揺動規制状態を解除し、かつ二次転写ロール７１が中間転写ベルト７０との圧接状態を解除して中間転写ベルト７０から離間する際、圧接力ＦとＦ２が減少しているため、第１の保持部材７２の移動が円滑に行われ、蓋部材１０１の操作感が向上する。
【００６７】
次に、装置本体１０内における二次転写ロール７１と中間転写ベルト７０との間の領域に存在する用紙Ｐ（図１に示す）を開口部１００ａから装置本体１０外に取り出す。
【００６８】
一方、紙詰まりが解消すると、蓋部材１０１を閉方向への揺動動作によって図７（ｂ）に示す開状態から図７（ａ）に示す閉状態とする。この場合、蓋部材１０１が閉状態とされると、第２の保持部材７４が揺動開始位置に配置される。この際、第１の保持部材７２が長孔７２３ａの長手方向に沿って支軸７２２を逃がしながら、二次転写ロール７１を中間転写ベルト７０に接近させる方向に第２の保持部材７４の揺動動作に追随して揺動する。このとき、揺動規制片７４ｃと第１の保持部材７２が接触するため、圧接力Ｆ１は揺動規制片７４ｃに加わることになり、位置aや位置ｃに加わる荷重は小さくなる。このため、回転軸受７１２が第１の保持部材７２と共に揺動して位置決め凹部１０３ａによって位置決めされるとともに、第１の保持部材７２が揺動規制部材１０２によって揺動規制される際に、圧接力Ｆはほとんど発生しない。ついで第２の保持部材７４にある支軸７２２が長孔７２３ａに沿って動き、第２の保持部材７４が閉じると、揺動規制片７４ｃと第１の保持部材７２の接触が離れる。これにより二次転写ロール７１が第１の保持部材７２から圧接力Ｆ（図５に示す）を受けて中間転写ベルト７０に圧接される。この際、二次転写ロール７１が圧接部材７３から第１の保持部材７２を介して圧接力Ｆ１（図５に示す）を、また揺動規制部材１０２から第１の保持部材７２を介して圧接力Ｆ２（図５に示す）をそれぞれ受けて中間転写ベルト７０に付与する。
【００６９】
以上、本発明の転写装置及び画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００７０】
（１）上記の実施の形態では、第１の保持部材７２が位置ｂで圧接力Ｆ１を、また位置ｃで圧接力Ｆ２をそれぞれ受け、これら圧接力Ｆ１，Ｆ２によって二次転写ロール７１が中間転写ベルト７０に圧接される場合について説明したが、本発明はこれに限定されず、二次転写ロールを中間転写ベルトに圧接する位置で第１の保持部材が圧接力を受け、この圧接力によって二次転写ロールを中間転写ベルトに圧接してもよい。すなわち要するに、本発明は、第２の保持部材に対して第１の保持部材を傾斜させた状態において、第１の保持部材及び第２の保持部材に圧接部材を圧接するためのばね力を付与するばね力付与部材を備えていればよい。これにより、転写ロールから転写ベルトに作用する圧接力の方向にばね力を発生させる場合と比べて小さいばね力でニップ荷重を得るという所期の目的を達成することができる。
【００７１】
（２）上記の実施の形態では、複写機に適用する場合について説明したが、本発明はこれに限定されず、プリンタ又はファクシミリに適用しても勿論よく、複写機，プリンタ及びファクシミリ等のうち少なくも２つを組み合わせてなる複合機に適用してもよい。
【００７２】
（３）上記の実施の形態では、画像形成装置１が複数の感光体ドラム２０を用いたカラー画像形成装置である場合について説明したが、本発明はこれに限定されず、単一の感光体ドラムを用いたモノクロ画像形成装置であってもよい。
【符号の説明】
【００７３】
１…画像形成装置、２Ｙ…第１の画像形成ユニット、２Ｍ…第２の画像形成ユニット、２Ｃ…第３の画像形成ユニット、２Ｋ…第４の画像形成ユニット、３Ｙ，３Ｍ，３Ｃ，３Ｋ…第１の転写装置、４…駆動ロール、５Ａ〜５Ｄ…支持ロール、６…クリーニング部、７…第２の転写装置、８…定着装置、９…露光装置、１０…装置本体、１０ａ…排出部、１１…画像形成部、１２…用紙供給部、１３…排紙部、２０…感光体ドラム、２１…帯電装置、２２…現像装置、２３…除電装置、２４…ドラム清掃部、７０…中間転写ベルト、７１…二次転写ロール、７２…第１の保持部材、７３…圧接部材、７４…第２の保持部材、７４ａ…回転力受面、７４ｂ…挿通窓、７４ｃ…揺動規制片、７５…ばね力付与部材、８０…加熱ロール、８１…加圧ロール、１００…ケース部材、１００ａ…開口部、１００ｂ…収容空間、１００ｃ…搬送経路、１００ｄ…排紙経路、１０１…蓋部材、１０１ａ…揺動中心、１０２…揺動規制部材、１０３…取付プレート、１０３ａ…位置決め凹部、１２１…給紙トレイ、１２２…ピックアップロール、１２３…捌きロール、１２４…レジロール、１２５…搬送ロール、１３０…排出ロール、７１０…ロール軸、７１２…位置決めロール、７１２ａ…ロール表面、７２０…保持部、７２１…連結部、７２２…支軸、７２３…側面壁、７２３ａ…長孔、７２４…中間壁、７２４ａ…圧接力受面、７２５…板ばね、７２６…トーションスプリング、７３０…第１のロール、７３１…第２のロール、７３２…ロールホルダ、７３２ａ…側板部、７３２ｂ…連結部、７３３…スプリング受け、７３３ａ…小径の筒部、７３３ｂ…大径の筒部、７３４…ホルダケース、７３５…支軸、７３６…ビス、Ｆ，Ｆ１，Ｆ２，Ｆ３…圧接力、Ｐ…用紙
【図１】
0005509760.tif 000002
【図２】
0005509760.tif 000003
【図３】
0005509760.tif 000004
【図４】
0005509760.tif 000005
【図５】
0005509760.tif 000006
【図６】
0005509760.tif 000007
【図７】
0005509760.tif 000008